(57)【要約】【課題】  投写面上に投写される映像を簡易に拡大することを可能とする投写型映像表示装置を提供する。【解決手段】  投写型映像表示装置１００は、光源１０、光源１０から出射される光を変調するDMD７０、及び、DMD７０から出射される光を投写面上に投写する投写ユニット１１０を収容する筐体２００を備える。投写型映像表示装置１００は、光源１０、DMD７０及び投写ユニット１１０の位置関係を維持しながら、光源１０、DMD７０及び投写ユニット１１０によって構成される光学ユニットを投写面に対して垂直方向に移動する移動機構を有する。【選択図】  図４
2012078487.tif 000002
【特許請求の範囲】
【請求項１】
光源、前記光源から出射される光を変調する光変調素子、及び、前記光変調素子から出射される光を投写面上に投写する投写ユニットを収容する筐体を備える投写型映像表示装置であって、
前記光源、前記光変調素子及び前記投写ユニットの位置関係を維持しながら、前記光源、前記光変調素子及び前記投写ユニットによって構成される光学ユニットを前記投写面に対して垂直方向に移動する移動機構を有することを特徴とする投写型映像表示装置。
【請求項２】
前記筐体は、第１筐体と、第２筐体とによって構成されており、
前記第１筐体は、前記光学ユニットを収容しており、
前記第２筐体は、前記投写面と平行な軸を中心として、前記第１筐体の側板のうち、互いに平行な１対の側板に対して、角度が調整可能に設けられた１対の脚部であり、
前記１対の脚部は、互いに連動することを特徴とする請求項１に記載の投写型映像表示装置。
【請求項３】
前記筐体は、第１筐体と、第２筐体とによって構成されており、
前記第１筐体は、前記光学ユニットを収容しており、
前記第２筐体は、前記第１筐体を収容する凹形状を有しており、前記移動機構として機能することを特徴とする請求項１に記載の投写型映像表示装置。
【請求項４】
前記第２筐体は、前記投写型映像表示装置に電力を供給する電力供給部を有することを特徴とする請求項２又は請求項３に記載の投写型映像表示装置。
【請求項５】
前記光学ユニットを冷却する冷却部材をさらに備え、
前記投写面に対して垂直方向に前記光学ユニットを移動することによって、前記冷却部材に対する空気流通路の体積が変化することを特徴とする請求項１に記載の投写型映像表示装置。
【請求項６】
光源、前記光源から出射される光を変調する光変調素子、及び、前記光変調素子から出射される光を投写面上に投写する投写ユニットを収容する筐体を備える投写型映像表示装置であって、
前記光源、前記光変調素子及び前記投写ユニットによって構成される光学ユニットを冷却する冷却部材を備え、
前記筐体は、第１筐体と、第２筐体とによって構成されており、
前記第１筐体と前記第２筐体との位置関係を変更することによって、前記冷却部材に対する空気流通路の体積が変化することを特徴とする投写型映像表示装置。
【発明の詳細な説明】
【技術分野】
【０００１】
本発明は、光源、光源から出射される光を変調する光変調素子、及び、光変調素子から出射される光を投写面上に投写する投写ユニットを収容する筐体を備える投写型映像表示装置に関する。
【背景技術】
【０００２】
従来、光源、光源から出射される光を変調する光変調素子、及び、光変調素子から出射される光を投写面上に投写する投写ユニットを収容する筐体を備える投写型映像表示装置が知られている。
【０００３】
一般的には、高い位置に設けられた投写面に光を投写するために、筐体を斜め上方に傾ける機構を有する投写型映像表示装置が知られている（例えば、特許文献１）。
【先行技術文献】
【特許文献】
【０００４】
【特許文献１】特開２００６−２２７０５０号公報
【発明の概要】
【発明が解決しようとする課題】
【０００５】
ところで、近年では、机上などに設けられる投写面に光を投写する投写型映像表示装置が提案されている。このような投写型映像表示装置では、投写面上に投写される映像を拡大するために、筐体を投写面に対して垂直方向に移動する機構が必要になる。
【０００６】
そこで、本発明は、上述した課題を解決するためになされたものであり、投写面上に投写される映像を簡易に拡大することを可能とする投写型映像表示装置を提供することを目的とする。
【課題を解決するための手段】
【０００７】
第１の特徴に係る投写型映像表示装置は、光源（光源１０）、前記光源から出射される光を変調する光変調素子（DMD７０）、及び、前記光変調素子から出射される光を投写面上に投写する投写ユニット（投写ユニット１１０）を収容する筐体（筐体２００）を備える。投写型映像表示装置は、前記光源、前記光変調素子及び前記投写ユニットの位置関係を維持しながら、前記光源、前記光変調素子及び前記投写ユニットによって構成される光学ユニットを前記投写面に対して垂直方向に移動する移動機構を有する。
【０００８】
第１の特徴において、前記筐体は、第１筐体（第１筐体４１０など）と、第２筐体（第２筐体４２０など）とによって構成される。前記第１筐体は、前記光学ユニットを収容する。前記第２筐体は、前記投写面と平行な軸を中心として、前記第１筐体の側板のうち、互いに平行な１対の側板に対して、角度が調整可能に設けられた１対の脚部（第２筐体４２０Ａ、第２筐体４２０Ｂなど）である。前記１対の脚部は、互いに連動する。
【０００９】
第１の特徴において、前記筐体は、第１筐体（第１筐体７１０など）と、第２筐体（第２筐体７２０など）とによって構成される。前記第１筐体は、前記光学ユニットを収容する。前記第２筐体は、前記第１筐体を収容する凹形状を有しており、前記移動機構として機能する。
【００１０】
第１の特徴において、前記第２筐体は、前記投写型映像表示装置に電力を供給する電力供給部（バッテリ１４０など）を有する。
【００１１】
第１の特徴において、前記筐体は、第１筐体（第１筐体６１０など）と、第２筐体（第２筐体６２０など）とによって構成される。前記第１筐体は、前記光学ユニットを収容する。前記第２筐体は、前記第１筐体の側板のうち、第１側板の下辺を回動軸にして、前記第１側板に回動可能に設けられた板状部材である。前記板状部材は、前記第１側板の下辺と平行な３つの折り畳み線（折り畳み線６２１〜折り畳み線６２３）を有しており、前記板状部材の長手方向に沿って、前記３つの折り畳み線によって４つの部分に区分けされる。前記４つの部分は、前記第１側板の下辺に近い順に、第１脚部分（第１脚部分６２４）、連結部分（連結部分６２５）、第２脚部分（第２脚部分６２６）及び第３脚部分（第３脚部分６２７）である。前記第１脚部分、前記第２脚部分及び前記第３脚部分は、前記板状部材の長手方向において等しい長さを有する。前記連結部分は、前記第１脚部分及び前記第２脚部分の角度を連動させる。
【００１２】
第１の特徴において、投写型映像表示装置は、前記光学ユニットを冷却する冷却部材をさらに備える。前記投写面に対して垂直方向に前記光学ユニットを移動することによって、前記冷却部材に対する空気流通路の体積が変化する。
【００１３】
第２の特徴に係る投写型映像表示装置は、光源、前記光源から出射される光を変調する光変調素子、及び、前記光変調素子から出射される光を投写面上に投写する投写ユニットを収容する筐体を備える。投写型映像表示装置は、前記光源、前記光変調素子及び前記投写ユニットによって構成される光学ユニットを冷却する冷却部材を備える。前記筐体は、第１筐体と、第２筐体とによって構成される。前記第１筐体と前記第２筐体との位置関係を変更することによって、前記冷却部材に対する空気流通路の体積が変化する。
【発明の効果】
【００１４】
本発明によれば、投写面上に投写される映像を簡易に拡大することを可能とする投写型映像表示装置を提供することができる。
【図面の簡単な説明】
【００１５】
【図１】図１は、第１実施形態に係る投写型映像表示装置１００を示す図である。
【図２】図２は、第１実施形態に係る投写型映像表示装置１００を示す図である。
【図３】図３は、第１実施形態に係る投写型映像表示装置１００を示す図である。
【図４】図４は、第１実施形態に係る移動機構を説明するための図である。
【図５】図５は、第１実施形態に係る移動機構を説明するための図である。
【図６】図６は、第１実施形態に係る移動機構を説明するための図である。
【図７】図７は、第１実施形態に係る移動機構を説明するための図である。
【図８】図８は、変更例１に係る移動機構を説明するための図である。
【図９】図９は、変更例２に係る移動機構を説明するための図である。
【図１０】図１０は、変更例２に係る移動機構を説明するための図である。
【図１１】図１１は、変更例３に係る移動機構を説明するための図である。
【図１２】図１２は、変更例３に係る移動機構を説明するための図である。
【図１３】図１３は、変更例３に係る移動機構を説明するための図である。
【図１４】図１４は、変更例３に係る移動機構を説明するための図である。
【図１５】図１５（ａ）〜図１５（ｃ）は、変更例４に係る移動機構を説明するための図である。
【図１６】図１６は、変更例５に係る移動機構を説明するための図である。
【図１７】図１７は、変更例５に係る移動機構を説明するための図である。
【図１８】図１８は、変更例５に係るヒートシンク８３０を示す図である。
【図１９】図１９は、変更例５に係るヒートシンク８３０を示す図である。
【図２０】図２０は、変更例６に係るヒートシンク８３０を示す図である。
【図２１】図２１は、変更例６に係るヒートシンク８３０を示す図である。
【図２２】図２２は、変更例７に係るヒートシンク８３０を示す図である。
【図２３】図２３は、変更例７に係るヒートシンク８３０を示す図である。
【図２４】図２４は、変更例７に係るヒートシンク８３０を示す図である。
【図２５】図２５は、変更例７に係るヒートシンク８３０を示す図である。
【図２６】図２６は、変更例７に係るヒートシンク８３０を示す図である。
【図２７】図２７は、変更例７に係るヒートシンク８３０を示す図である。
【図２８】図２８は、変更例８に係る投写型映像表示装置１００を示す図である。
【図２９】図２９は、変更例８に係る投写型映像表示装置１００を示す図である。
【発明を実施するための形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る投写型映像表示装置は、光源、光源から出射される光を変調する光変調素子、及び、光変調素子から出射される光を投写面上に投写する投写ユニットを収容する筐体を備える。投写型映像表示装置は、光源、光変調素子及び投写ユニットの位置関係を維持しながら、光源、光変調素子及び投写ユニットによって構成される光学ユニットを投写面に対して垂直方向に移動する移動機構を有する。
【００１９】
かかる特徴によれば、移動機構は、光学ユニットを投写面に対して垂直方向に移動する。従って、投写面上に投写される映像を簡易に拡大することができる。また、光学ユニットを投写面に対して垂直方向に移動する際に、光源、光変調素子及び投写ユニットの位置関係が維持される。従って、光源から出射される光の光路長の調整等が不要である。
【００２０】
［第１実施形態］
（投写型映像表示装置の概略構成）
以下において、第１実施形態に係る投写型映像表示装置の概略構成について、図面を参照しながら説明する。図１は、第１実施形態に係る投写型映像表示装置１００（床面投写）を示す図である。図２は、第１実施形態に係る投写型映像表示装置１００（壁面投写）を示す図である。
【００２１】
図１及び図２に示すように、投写型映像表示装置１００は、筐体２００を有しており、投写面（不図示）に映像を投写する。筐体２００には、後述する投写ユニット１１０から出射される光を透過する透過領域３００が設けられる。
【００２２】
ここで、投写面は、図１に示すように、床面や机上などの水平面に設けられていてもよく、図２に示すように、壁面などの垂直面（例えば、スクリーン）に設けられてもよい。すなわち、投写型映像表示装置１００は、映像光を床面や机上などの水平面に投写するように配置されてもよく、映像光を壁面などの垂直面に投写するように配置されてもよい。
【００２３】
図１に示すケースでは、筐体２００は、略直方体の形状を有する。筐体２００は、底板２１０と、天板２２０と、第１側板２３０と、第２側板２４０と、第３側板２５０と、第４側板２６０とを有する。
【００２４】
底板２１０は、筐体２００の設置面と対向する。天板２２０は、底板２１０の反対側に設けられる。第１側板２３０は、透過領域３００を有する。第２側板２４０は、第１側板２３０の反対側に設けられる。第３側板２５０及び第４側板２６０は、残りの側板である。
【００２５】
なお、投写型映像表示装置１００のサイズは、２００ｍｌ〜２ｌの容積を有するペットボトル程度である。例えば、投写型映像表示装置１００の容積は、９００ｍｌ程度であり、投写型映像表示装置１００の重量は、８００ｇ程度である。投写型映像表示装置１００によって表示される映像のサイズは、例えば、２０インチ程度である。また、投写型映像表示装置１００と投写面との距離が非常に近いことに留意すべきである。
【００２６】
（投写型映像表示装置の光学構成）
以下において、第１実施形態に係る投写型映像表示装置の光学構成について、図面を参照しながら説明する。図３は、第１実施形態に係る投写型映像表示装置１００の光学構成を主として示す図である。
【００２７】
図３に示すように、投写型映像表示装置１００は、投写ユニット１１０と、照明ユニット１２０と、冷却ファン１３０と、バッテリ１４０と、電源基板１５０と、主制御基板１６０と、操作基板１７０とを有する。また、投写型映像表示装置１００は、DMD７０と、反射プリズム８０とを有する。
【００２８】
投写ユニット１１０は、DMD７０から出射された色成分光（映像光）を投写面に投写する。具体的には、投写ユニット１１０は、投写レンズ群１１１と、反射ミラー１１２とを有する。
【００２９】
投写レンズ群１１１は、DMD７０から出射された色成分光（映像光）を反射ミラー１１２側に出射する。投写レンズ群１１１は、投写ユニット１１０の光軸Ｌを中心とする略円形形状のレンズ、投写ユニット１１０の光軸Ｌを中心とする略円形形状の一部分によって構成される形状（例えば、下半分の半円形状）のレンズなどを含む。
【００３０】
なお、投写レンズ群１１１に含まれるレンズの径は、反射ミラー１１２に近いほど大きいことに留意すべきである。
【００３１】
反射ミラー１１２は、投写レンズ群１１１から出射された色成分光（映像光）を反射する。反射ミラー１１２は、映像光を集光した上で、映像光を広角化する。例えば、反射ミラー１１２は、投写レンズ群１１１側に凹面を有する非球面ミラーである。ここで、反射ミラー１１２は、投写ユニット１１０の光軸Ｌを中心とする略円形形状の一部分によって構成される形状（例えば、下半分の半円形状）を有する。
【００３２】
反射ミラー１１２で集光された映像光は、筐体２００に設けられた透過領域３００を透過する。筐体２００に設けられた透過領域３００は、反射ミラー１１２によって映像光が集光される位置近傍に設けられることが好ましい。
【００３３】
照明ユニット１２０は、光源１０と、ダイクロイックプリズム３０と、ロッドインテグレータ４０と、ミラー５１と、ミラー５２と、レンズ６１と、レンズ６２と、レンズ６３とを有する。
【００３４】
光源１０は、複数色の色成分光を個別に出射するように構成される。また、光源１０には、光源１０で生じる熱を放熱するヒートシンクが併設されていてもよい。なお、光源１０は、例えば、光源１０Ｒ、光源１０Ｇ及び光源１０Ｂによって構成される。
【００３５】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンクが併設されてもよい。
【００３６】
光源１０Ｇは、緑成分光Ｇを出射する光源であり、例えば、緑ＬＥＤや緑ＬＤである。光源１０Ｇには、金属などのように放熱性が良好な部材によって構成されるヒートシンクが併設されてもよい。
【００３７】
光源１０Ｂは、青成分光Ｂを出射する光源であり、例えば、青ＬＥＤや青ＬＤである。光源１０Ｂには、金属などのように放熱性が良好な部材によって構成されるヒートシンクが併設されてもよい。
【００３８】
ダイクロイックプリズム３０は、光源１０Ｒから出射される赤成分光Ｒ、光源１０Ｇから出射される緑成分光Ｇ、光源１０Ｂから出射される青成分光Ｂを合成する。
【００３９】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。詳細には、ロッドインテグレータ４０は、光反射側面で色成分光を反射することによって、色成分光を均一化する。なお、ロッドインテグレータ４０は、ガラスなどによって構成される中実ロッドであってもよく、ミラー面によって内面が構成される中空ロッドであってもよい。
【００４０】
例えば、第１実施形態では、ロッドインテグレータ４０は、光源１０から出射される光の進行方向に向けて、光の進行方向に垂直な断面が大きくなるテーパ形状を有する。但し、実施形態は、これに限定されるものではない。ロッドインテグレータ４０は、光源１０から出射される光の進行方向に向けて、光の進行方向に垂直な断面が小さくなる逆テーパ形状を有してもよい。
【００４１】
ミラー５１及びミラー５２は、ロッドインテグレータ４０から出射された光をDMD７０に導くために、光の光路を折り曲げる反射ミラーである。
【００４２】
レンズ６１、レンズ６２及びレンズ６３は、光源１０から出射された色成分光の拡大を抑制しながら、色成分光をDMD７０上に略結像するリレーレンズである。
【００４３】
冷却ファン１３０は、筐体２００の外部に連通しており、筐体２００内の熱を放出するように構成される。或いは、冷却ファン１３０は、筐体２００の外部の空気を筐体２００内に送り込むように構成される。例えば、冷却ファン１３０は、光源１０の近傍に設けられており、光源１０を冷却するように構成される。
【００４４】
バッテリ１４０は、投写型映像表示装置１００に供給すべき電力を蓄積する。
【００４５】
電源基板１５０は、バッテリ１４０に接続されており、ＡＣ電力をＤＣ電力に変換する電力変換回路を有する。
【００４６】
主制御基板１６０は、投写型映像表示装置１００の動作を制御する主制御回路を有する。
【００４７】
操作基板１７０は、投写型映像表示装置１００に設けられる操作部（ボタンなど）に接続されており、操作部から入力される操作信号を主制御基板１６０（主制御回路）に伝達する。
【００４８】
DMD７０は、複数の微小ミラーによって構成されており、複数の微小ミラーは可動式である。各微小ミラーは、基本的に１画素に相当する。DMD７０は、各微小ミラーの角度を変更することによって、色成分光が有効光として投写ユニット１１０側に導かれるように色成分光を反射するか否かを切り替える。
【００４９】
反射プリズム８０は、照明ユニット１２０から出射される光をDMD７０側に透過する。一方で、反射プリズム８０は、DMD７０から出射される光を投写ユニット１１０側に反射する。
【００５０】
（移動機構の構成）
以下において、第１実施形態に係る移動機構の構成について、図面を参照しながら説明する。移動機構は、光源１０、DMD７０及び投写ユニット１１０によって構成される光学ユニットを投写面に対して垂直方向に移動する機構である。光学ユニットは、これらの構成以外にも、照明ユニット１２０に含まれる他の構成を含んでもよい。
【００５１】
図４〜図６は、第１実施形態に係る移動機構を説明するための図である。図４〜図６に示すように、筐体２００は、第１筐体４１０及び第２筐体４２０を有する。
【００５２】
第１筐体４１０は、光源１０、DMD７０及び投写ユニット１１０によって構成される光学ユニットを収容する筐体である。
【００５３】
第２筐体４２０は、第１筐体４１０を被覆するカバーである。具体的には、第２筐体４２０は、投写面と平行な軸を中心として、第１筐体４１０の側板のうち、互いに平行な１対の側板に対して、角度が調整可能に設けられた１対の脚部（第２筐体４２０Ａ及び第２筐体４２０Ｂ）である。
【００５４】
ここで、図５及び図６に示すように、第２筐体４２０Ａ及び第２筐体４２０Ｂの回動に伴って、第１筐体４１０に収容される光学ユニットの高さが変更される。言い換えると、第２筐体４２０Ａ及び第２筐体４２０Ｂは、移動機構として機能する。
【００５５】
例えば、図５に示すように、投写面の高さをＨ０とした場合に、第２筐体４２０Ａ及び第２筐体４２０Ｂを回動すると、光学ユニットの高さは、Ｈ１−Ｈ０だけ上昇する。さらに、図６に示すように、第２筐体４２０Ａ及び第２筐体４２０Ｂをさらに回動すると、光学ユニットの高さは、Ｈ２−Ｈ１だけさらに上昇する。
【００５６】
ここで、第２筐体４２０Ａ及び第２筐体４２０Ｂは、互いに連動して回動することが好ましい。具体的には、図７に示すように、第１筐体４１０は、回動軸４３１（回動軸４３１Ａ及び回動軸４３１Ｂ）と、歯車４３２（歯車４３２Ａ及び歯車４３２Ｂ）と、歯車４３３（歯車４３３Ａ及び歯車４３３Ｂ）と、ストッパー４３４とを有する。
【００５７】
回動軸４３１Ａは、第２筐体４２０Ａの回動軸であり、回動軸４３１Ｂは、第２筐体４２０Ｂの回動軸である。
【００５８】
歯車４３２Ａは、回動軸４３１Ａを中心として回動し、歯車４３２Ｂは、回動軸４３１Ｂを中心として回動する。なお、歯車４３２Ａに設けられる歯は、歯車４３２Ａの全周の一部にのみ設けられており、歯車４３２Ａの回動は、後述するストッパー４３４によって規制される。
【００５９】
歯車４３３Ａは、歯車４３２Ａ及び歯車４３３Ｂに噛み合っており、歯車４３３Ｂは、歯車４３２Ｂ及び歯車４３３Ａに噛み合っている。
【００６０】
ストッパー４３４は、歯車４３２Ａの回動を規制する。すなわち、ストッパー４３４は、歯車４３２Ａの全周の一部に設けられた歯の動きを規制する。
【００６１】
（作用及び効果）
第１実施形態では、第２筐体４２０Ａ及び第２筐体４２０Ｂの回動に伴って、光学ユニットを投写面に対して垂直方向に移動する。従って、投写面上に投写される映像を簡易に拡大することができる。また、光学ユニットを投写面に対して垂直方向に移動する際に、光源、光変調素子及び投写ユニットの位置関係が維持される。従って、光源から出射される光の光路長の調整等が不要である。
【００６２】
第１実施形態では、第２筐体４２０Ａ及び第２筐体４２０Ｂは、互いに連動して回動する。従って、第１筐体４１０に収容される光学ユニットの傾きが抑制される。
【００６３】
［変更例１］
以下において、第１実施形態の変更例１について説明する。以下においては、第１実施形態に対する際について主として説明する。
【００６４】
変更例１では、図８に示すように、第１実施形態と比べて、歯車４３３Ａ及び歯車４３３Ｂに代えて、チェーン４３５が設けられる。
【００６５】
チェーン４３５は、無端形状を有しており、歯車４３２Ａ及び歯車４３２Ｂに巻き回される。
【００６６】
なお、変更例１では、歯車４３２Ａの全周に歯が設けられており、歯車４３２Ａは、回動軸４３１Ａの軸方向に突出する突起４３６を有する。ストッパー４３４は、歯車４３２Ａに設けられる突起４３６の動きを規制する。
【００６７】
また、ストッパー４３４は、第１筐体４１０に設けられる開口に挿抜可能に構成されていてもよい。このような場合には、歯車４３２Ａに突起４３６を設ける代わりに、歯車４３２Ａの歯に噛み合うような形状をストッパー４３４が有する。これによって、ストッパー４３４が開口から抜かれた状態において、光学ユニットの高さを調整することが可能であり、ストッパー４３４が開口に差し込まれた状態において、歯車４３２Ａの動きが規制され、光学ユニットの高さが固定される。
【００６８】
［変更例２］
以下において、第１実施形態の変更例２について説明する。以下においては、第１実施形態に対する際について主として説明する。
【００６９】
具体的には、第１実施形態では、第２筐体は、第１筐体４１０を被覆するカバーである。これに対して、変更例２では、第２筐体は、バッテリ１４０を収容する筐体である。
【００７０】
図９〜図１０は、第１実施形態に係る移動機構を説明するための図である。図９〜図１０に示すように、筐体２００は、第１筐体５１０及び第２筐体５２０を有する。
【００７１】
第１筐体５１０は、第１筐体４１０と同様に、光源１０、DMD７０及び投写ユニット１１０によって構成される光学ユニットを収容する筐体である。
【００７２】
第２筐体５２０は、バッテリ１４０を収容する筐体である。具体的には、第２筐体５２０は、第２筐体４２０と同様に、投写面と平行な軸を中心として、第１筐体４１０の側板のうち、互いに平行な１対の側板に回動可能に設けられた１対の脚部（第２筐体５２０Ａ及び第２筐体５２０Ｂ）である。
【００７３】
第２筐体５２０Ａは、回動軸５３１Ａを中心として回動可能に構成される。なお、第２筐体５２０Ａの回動方法は、第２筐体４２０Ａと同様であるため、回動方法の詳細については省略する。
【００７４】
第２筐体５２０Ｂは、回動軸５３１Ｂを中心として回動可能に構成される。なお、第２筐体５２０Ｂの回動方法は、第２筐体４２０Ｂと同様であるため、回動方法の詳細については省略する。
【００７５】
ここで、第２筐体５２０Ａ及び第２筐体５２０Ｂの回動に伴って、第１筐体５１０に収容される光学ユニットの高さが変更される。言い換えると、第２筐体５２０Ａ及び第２筐体５２０Ｂは、移動機構として機能する。
【００７６】
なお、第２筐体５２０Ａ及び第２筐体５２０Ｂは、第１実施形態と同様に、互いに連動して回動することが好ましい。
【００７７】
なお、変更例２では、第２筐体５２０は、バッテリ１４０を収容するが、実施形態は、これに限定されるものではない。第２筐体５２０は、ＡＣ−ＤＣ変換ユニットを収容してもよい。
【００７８】
（作用及び効果）
変更例２では、第２筐体５２０は、バッテリ１４０などの電力供給部を有する。従って、第１筐体５１０に収容される光学ユニットの高さを変更しても、第２筐体５２０の重力が大きいため、投写型映像表示装置１００の安定性を維持することができる。
【００７９】
［変更例３］
以下において、第１実施形態の変更例３について説明する。以下においては、第１実施形態に対する際について主として説明する。
【００８０】
具体的には、第１実施形態では、第２筐体は、一対の脚部である。これに対して、変更例３では、第２筐体は、第１筐体の側板のうち、第１側板（例えば、図１に示す第１側板２３０）の下辺を回動軸にして、第１側板に回動可能に設けられた板状部材である。
【００８１】
図１１〜図１４は、変更例３に係る移動機構を説明するための図である。図１１〜図１４に示すように、筐体２００は、第１筐体６１０と、第２筐体６２０とを有する。
【００８２】
第１筐体６１０は、第１筐体４１０と同様に、光源１０、DMD７０及び投写ユニット１１０によって構成される光学ユニットを収容する筐体である。
【００８３】
第２筐体６２０は、第１筐体の側板のうち、第１側板（例えば、図１に示す第１側板２３０）の下辺を回動軸にして、第１側板に回動可能に設けられた板状部材である。
【００８４】
具体的には、第２筐体６２０は、３つの折り畳み線（折り畳み線６２１、折り畳み線６２２、折り畳み線６２３）を有する。第２筐体６２０は、３つの折り畳み線によって、４つの部分に区分けされる。４つの部分は、第１側板（例えば、図１に示す第１側板２３０）の下辺（回動軸）に近い順に、第１脚部分６２４、連結部分６２５、第２脚部分６２６、第３脚部分６２７である。第２筐体６２０は、勘合溝６２８を有する。
【００８５】
折り畳み線６２１、折り畳み線６２２及び折り畳み線６２３は、第１側板（例えば、図１に示す第１側板２３０）の下辺（回動軸）と略平行である。
【００８６】
第１脚部分６２４、第２脚部分６２６及び第３脚部分６２７は、図１２に示すように、第２筐体６２０（板状部材）の長手方向において等しい長さを有する。なお、第２筐体６２０の長手方向とは、折り畳み線や回動軸に対する垂直方向である。
【００８７】
連結部分６２５は、図１３に示すように、第２筐体６２０（板状部材）の長手方向において、第１筐体６１０の底板と同じ長さを有する。
【００８８】
勘合溝６２８は、第１筐体６１０の底板に設けられる。勘合溝６２８は、第１側板（例えば、図１に示す第１側板２３０）の下辺（回動軸）と略平行な方向に沿って延びる。勘合溝６２８は、図１４に示すように、折り畳み線６２３を受け入れる溝である。
【００８９】
図１４に示すように、連結部分６２５は、第１脚部分６２４、第２脚部分６２６及び第３脚部分６２７の角度を連動させる。第１脚部分６２４、第２脚部分６２６及び第３脚部分６２７の角度の変更によって、第１筐体６１０に収容される光学ユニットの高さが変更される。言い換えると、第２筐体６２０は、移動機構として機能する。
【００９０】
（作用及び効果）
変更例３では、第２筐体６２０は、折り畳み可能な複数の部分（第１脚部分６２４、連結部分６２５、第２脚部分６２６及び第３脚部分６２７）によって構成される。第１脚部分６２４、第２脚部分６２６及び第３脚部分６２７は、第２筐体６２０（板状部材）の長手方向において等しい長さを有する。これによって、第１脚部分６２４、第２脚部分６２６及び第３脚部分６２７の角度の調整によって、光学ユニットを投写面に対して垂直方向に移動することが可能である。
【００９１】
回動軸に近い順に、第１脚部分６２４、連結部分６２５、第２脚部分６２６及び第３脚部分６２７が設けられる。これによって、連結部分６２５は、第１脚部分６２４、第２脚部分６２６及び第３脚部分６２７の角度を連動させることができる。
【００９２】
［変更例４］
以下において、第１実施形態の変更例４について説明する。以下においては、第１実施形態に対する際について主として説明する。
【００９３】
具体的には、第１実施形態では、第２筐体は、一対の脚部である。これに対して、変更例４では、第２筐体は、第１筐体を収容する凹形状を有する。
【００９４】
図１５（ａ）〜図１５（ｃ）は、変更例４に係る移動機構を説明するための図である。具体的には、図１５（ａ）は、第１筐体７１０及び第２筐体７２０を示す図である。図１５（ｂ）は、第１筐体７１０を示す図である。図１５（ｃ）は、第２筐体７２０を示す図である。ここで、図１５（ａ）及び図１５（ｃ）において、第２筐体７２０は断面で表されていることに留意すべきである。但し、説明を明確にするために、後述する溝７２１の一部については図示されている。
【００９５】
図１５（ａ）〜図１５（ｃ）に示すように、筐体２００は、第１筐体７１０と、第２筐体７２０とを有する。
【００９６】
第１筐体７１０は、第１筐体４１０と同様に、光源１０、DMD７０及び投写ユニット１１０によって構成される光学ユニットを収容する筐体である。第１筐体７１０の外壁には、螺旋状の突起７１１が設けられる。詳細には、第１筐体７１０が上方に移動しても突起７１１が見えないように、突起７１１は、第１筐体７１０の下側に設けられることが好ましい。
【００９７】
第２筐体７２０は、第１筐体７１０を収容する凹形状を有する。第２筐体７２０は、バッテリ１４０を収容する。第２筐体７２０は、螺旋状の溝７２１を有する。第２筐体７２０に設けられる溝７２１は、第１筐体７１０に設けられる突起７１１と勘合する。
【００９８】
ここで、投写面に対して垂直方向に延びる軸を中心として第１筐体７１０を回動することによって、第１筐体７１０に収容される光学ユニットの高さが変更される。言い換えると、第２筐体７２０は、移動機構として機能する。
【００９９】
なお、変更例４では、第２筐体７２０は、バッテリ１４０を収容するが、実施形態は、これに限定されるものではない。第２筐体７２０は、ＡＣ−ＤＣ変換ユニットを収容してもよい。
【０１００】
（作用及び効果）
変更例４では、第２筐体７２０は、第１筐体７１０を収容する凹形状を有しており、バッテリ１４０などの電力供給部を有する。従って、第１筐体７１０に収容される光学ユニットの高さを変更しても、第２筐体７２０の重力が大きいため、投写型映像表示装置１００の安定性を維持することができる。
【０１０１】
［変更例５］
以下において、第１実施形態の変更例５について説明する。以下においては、第１実施形態に対する際について主として説明する。
【０１０２】
具体的には、変更例５では、光源１０などの熱源を冷却する冷却部材（例えば、ヒートシンク）について説明する。
【０１０３】
図１６〜図１９は、変更例５に係る冷却部材を説明するための図である。変更例５では、冷却部材としてヒートシンクを例示する。図１６〜図１７に示すように、筐体２００は、第１筐体８１０と、第２筐体８２０とを有する。
【０１０４】
第１筐体８１０は、第１筐体４１０と同様に、光源１０、DMD７０及び投写ユニット１１０によって構成される光学ユニットを収容する筐体である。
【０１０５】
第２筐体８２０は、冷却部材（ここでは、ヒートシンク８３０）の一部を収容する筐体である。なお、第２筐体８２０は、バッテリ１４０を収容してもよい。
【０１０６】
なお、投写型映像表示装置１００は、第１筐体８１０に収容される光学ユニットを投写面に対して垂直方向に移動する移動機構を有する。移動機構の構成は任意である。
【０１０７】
ここで、ヒートシンク８３０は、図１８〜図１９に示すように、上側ヒートシンク８３１と、下側ヒートシンク８３２と、ヒートパイプ８３３とを有する。
【０１０８】
上側ヒートシンク８３１は、下方向に突出する複数のフィン（下方向フィン８３１Ａ）を有する櫛歯形状を有する。下側ヒートシンク８３２は、上方向に突出する複数のフィン（上方向フィン８３２Ａ）及び下方向に突出する複数のフィン（下方向フィン８３２Ｂ）を有する櫛歯形状を有する。ヒートパイプ８３３は、銅などの高熱伝導率を有する部材によって構成されており、上側ヒートシンク８３１の熱を下側ヒートシンク８３２に移す機能を有する。また、ヒートパイプ８３３は、フレキシブルに曲げることが可能な部材によって構成される。
【０１０９】
なお、上側ヒートシンク８３１の下方向フィン８３１Ａは、下側ヒートシンク８３２の上方向フィン８３２Ａと互い違いに設けられる。また、上側ヒートシンク８３１の下方向フィン８３１Ａは、下側ヒートシンク８３２の上方向フィン８３２Ａと接するように配置される。
【０１１０】
従って、図１６に示すように、第１筐体８１０に収容される光学ユニットの位置が低い場合には、図１８に示すように、上側ヒートシンク８３１の下方向フィン８３１Ａ及び下側ヒートシンク８３２の上方向フィン８３２Ａは互いに重なりあっている。一方で、図１７に示すように、第１筐体８１０に収容される光学ユニットの位置が高い場合には、図１９に示すように、上側ヒートシンク８３１の下方向フィン８３１Ａ及び下側ヒートシンク８３２の上方向フィン８３２Ａは互いに露出する。
【０１１１】
なお、上側ヒートシンク８３１は、第１筐体８１０に収容されており、下側ヒートシンク８３２及びヒートパイプ８３３は、第２筐体８２０に収容される。
【０１１２】
このように、第１筐体８１０に収容される光学ユニットを投写面に対して垂直方向に移動することによって、ヒートシンク８３０に対する空気流通路８３５の体積が変化する。
【０１１３】
なお、変更例５では、図１８に示すように、上側ヒートシンク８３１の下方向フィン８３１Ａは、下側ヒートシンク８３２の上方向フィン８３２Ａと接するように配置される。しかしながら、変更例５は、これに限定されるものではない。具体的には、上側ヒートシンク８３１の下方向フィン８３１Ａと下側ヒートシンク８３２の上方向フィン８３２Ａとの間に空気流通路８３５が形成されていてもよい。
【０１１４】
（作用及び効果）
変更例５では、第１筐体８１０に収容される光学ユニットを投写面に対して垂直方向に移動することによって、ヒートシンク８３０に対する空気流通路８３５の体積が変化する。言い換えると、第１筐体８１０に収容される光学ユニットの位置が高く、光源１０から出射される光量の増大が必要である場合に、ヒートシンク８３０に対する空気流通路８３５の体積が拡大する。従って、光源１０などの熱源を十分に冷却することができ、必要とされる場合に、光源１０から出射される光量を増大することができる。
【０１１５】
［変更例６］
以下において、第１実施形態の変更例６について説明する。以下においては、変更例５に対する際について主として説明する。
【０１１６】
具体的には、変更例６では、図２０及び図２１に示すように、ヒートシンク８３０は、ヒートパイプ８３３に代えて、液冷装置８３４を有する。
【０１１７】
液冷装置８３４は、上側ヒートシンク８３１の熱を下側ヒートシンク８３２に移す機能を有する。具体的には、液冷装置８３４は、冷媒流路及びポンプを有しており、ポンプによって冷媒流路内において冷媒を循環させる。
【０１１８】
［変更例７］
以下において、第１実施形態の変更例７について説明する。以下においては、変更例５に対する際について主として説明する。
【０１１９】
変更例５では、ヒートシンク８３０は、櫛歯形状を有する上側ヒートシンク８３１及び下側ヒートシンク８３２によって構成される。これに対して、変更例７では、ヒートシンク８３０は、他の構成を有する。
【０１２０】
例えば、図２２に示すように、ヒートシンク８３０は、格子状に設けられた棒状のフィンが関節部分で折り畳み可能な構成を有していてもよい。
【０１２１】
或いは、図２３に示すように、ヒートシンク８３０は、螺旋状に巻き回された構成を有していてもよい。
【０１２２】
或いは、図２４に示すように、ヒートシンク８３０は、フィンがサーマルグリースによってヒートプレートに接合された構成を有していてもよい。なお、フィンの角度は変更可能に構成される。
【０１２３】
或いは、図２５に示すように、ヒートシンク８３０は、糸状のフィンがヒートプレートに設けられる構成を有していてもよい。
【０１２４】
或いは、図２６に示すように、ヒートシンク８３０は、弾力性を有する部材によって構成されたシートによって構成されていてもよい。シートは、例えば、粘着層と、ポリイミドなどのベース層と、銅などの熱伝導層と、セラミックス系の塗料によって構成される熱放射層を有する。シートは、各層が積層された筒状の構成を有しており、弾力性を有する。なお、熱放射層は、熱伝導層を伝達する熱を遠赤外線に変換して放熱する。
【０１２５】
或いは、図２７に示すように、ヒートシンク８３０は、板状のフィンが関節部分で折り畳み可能な構成を有していてもよい。
【０１２６】
（変更例８）
以下において、第１実施形態の変更例８について説明する。以下においては、変更例５に対する際について主として説明する。
【０１２７】
変更例５では、縦置き（床面投写）の投写型映像表示装置１００にヒートシンク８３０を設けるケースについて例示した。これに対して、変更例８では、横置き（壁面投写）の投写型映像表示装置１００にヒートシンク８３０を設けるケースについて例示する。
【０１２８】
具体的には、変更例８では、変更例５と同様に、筐体２００は、第１筐体８１０と、第２筐体８２０とを有する。第１筐体８１０と第２筐体８２０との位置関係を変更することによって、ヒートシンク８３０に対する空気流通路８３５の体積が変化する。
【０１２９】
例えば、図２８に示すように、第１筐体８１０が投写面に対して垂直方向に移動する場合に、上側ヒートシンク８３１の下方向フィン８３１Ａ及び下側ヒートシンク８３２の上方向フィン８３２Ａが互いに露出する。
【０１３０】
或いは、図２９に示すように、第１筐体８１０が回動軸を中心として回動する場合に、上側ヒートシンク８３１の下方向フィン８３１Ａ及び下側ヒートシンク８３２の上方向フィン８３２Ａが互いに露出する。
【０１３１】
（作用及び効果）
変更例８では、第１筐体８１０と第２筐体８２０との位置関係を変更することによって、ヒートシンク８３０に対する空気流通路８３５の体積が変化する。従って、光源１０などの熱源を十分に冷却することができ、必要とされる場合に、光源１０から出射される光量を増大することができる。
【０１３２】
［その他の実施施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３３】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよく、透過型の液晶パネルであってもよい。
【０１３４】
実施形態では、光源は、ＬＥＤやＬＤであるケースについて例示した。しかしながら、光源は、ＥＬ（Ｅｌｅｃｔｒｏ  Ｌｕｍｉｎｅｓｃｅｎｃｅ）であってもよい。
【０１３５】
上述した実施形態とは別に、光源、光変調素子及び投写ユニットを有する投写型映像表示装置は、投写面に対して垂直方向に伸縮自在に構成された脚部を有していてもよい。伸縮自在に構成された複数の脚部が設けられる場合には、例えば、複数の脚部を連結することによって、複数の脚部が連動して伸縮することが好ましい。また、このような脚部は、投写型映像表示装置から取り外し可能に構成されていてもよい。
【符号の説明】
【０１３６】
１０…光源、３０…ダイクロイックプリズム、４０…ロッドインテグレータ、５１〜５２…ミラー、６１〜６３…レンズ、７０…DMD、８０…反射プリズム、１００…投写型映像表示装置、１１０…投写ユニット、１１１…投写レンズ群、１１２…反射ミラー、１２０…照明ユニット、１３０…冷却ファン、１４０…バッテリ、１５０…電源基板、１６０…主制御基板、１７０…操作基板、２００…筐体、２１０…底板、２２０…天板、２３０…第１側板、２４０…第２側板、２５０…第３側板、２６０…第４側板、３００…透過領域、４１０…第１筐体、４２０…第２筐体、４３１…回動軸、４３２…歯車、４３３…歯車、４３４…ストッパー、４３５…チェーン、４３６…突起、５１０…第１筐体、５２０…第２筐体、５３１…回動軸、６１０…第１筐体、６２０…第２筐体、６２１〜６２３…折り畳み線、６２４…第１脚部分、６２５…連結部分、６２６…第２脚部分、６２７…第３脚部分、６２８…勘合溝、７１０…第１筐体、７１１…突起、７２０…第２筐体、７２１…溝、８１０…第１筐体、８２０…第２筐体、８３０…ヒートシンク、８３１…上側ヒートシンク、８３１Ａ…下方向フィン、８３２…下側ヒートシンク、８３２Ａ…上方向フィン、８３２Ｂ…下方向フィン、８３３…ヒートパイプ、８３４…液冷装置、８３５…空気流通路
【図１】
2012078487.tif 000003
【図２】
2012078487.tif 000004
【図３】
2012078487.tif 000005
【図４】
2012078487.tif 000006
【図５】
2012078487.tif 000007
【図６】
2012078487.tif 000008
【図７】
2012078487.tif 000009
【図８】
2012078487.tif 000010
【図９】
2012078487.tif 000011
【図１０】
2012078487.tif 000012
【図１１】
2012078487.tif 000013
【図１２】
2012078487.tif 000014
【図１３】
2012078487.tif 000015
【図１４】
2012078487.tif 000016
【図１５】
2012078487.tif 000017
【図１６】
2012078487.tif 000018
【図１７】
2012078487.tif 000019
【図１８】
2012078487.tif 000020
【図１９】
2012078487.tif 000021
【図２０】
2012078487.tif 000022
【図２１】
2012078487.tif 000023
【図２２】
2012078487.tif 000024
【図２３】
2012078487.tif 000025
【図２４】
2012078487.tif 000026
【図２５】
2012078487.tif 000027
【図２６】
2012078487.tif 000028
【図２７】
2012078487.tif 000029
【図２８】
2012078487.tif 000030
【図２９】
2012078487.tif 000031